(57)【要約】【課題】チップカードを容易かつ確実につまみ上げる。【解決手段】ＵＩＭカード１０において、互いに平行な二辺の側面が傾斜面２０Ａ、２０Ｂとされることで、ＵＩＭカード１０が床やデスク等の表面１００上にあるときに、いずれか一方の鋭角部３０Ａ、３０Ｂを表面１００から上方に離間して位置させる。これにより、指Ｆ１、Ｆ２でＵＩＭカード１０を容易に引き起こしてつまみ上げる。【選択図】図３
2012146232.tif 000002
【特許請求の範囲】
【請求項１】
矩形状をなしたカード本体と、
前記カード本体において互いに対向する二辺に沿って形成された突条と、を備え、
前記突条は、前記カード本体を平面上に置いたときに、少なくとも一方の辺に形成された前記突条が前記平面から上方に離間して位置するよう形成されていることを特徴とするチップカード。
【請求項２】
前記平面上に置かれた前記カード本体をユーザが指でつまみ上げるときに、前記平面から上方に離間して位置する前記突条が前記指に引っ掛かることで、前記カード本体が、前記突条が形成された側から引き上げられることを特徴とする請求項１に記載のチップカード。
【請求項３】
前記カード本体において互いに対向する前記二辺に沿った側面が、前記カード本体の表面に対して定められた角度で交差する傾斜面とされ、
前記カード本体の表面と前記傾斜面との交差部に形成された鋭角部が前記突条とされていることを特徴とする請求項１または２に記載のチップカード。
【請求項４】
前記カード本体において互いに対向する前記二辺に沿って形成された二つの前記傾斜面が、互いに平行に形成されていることを特徴とする請求項３に記載のチップカード。
【請求項５】
前記カード本体において互いに対向する前記二辺に沿った側面に、当該側面から側方に突出する前記突条が形成されていることを特徴とする請求項１または２に記載のチップカード。
【発明の詳細な説明】
【技術分野】
【０００１】
本発明は、携帯電話機等の通信端末に使用されているＵＩＭカード（Ｕｓｅｒ  Ｉｄｅｎｔｉｔｙ  Ｍｏｄｕｌｅ  Ｃａｒｄ）等のチップカードに関する。
【背景技術】
【０００２】
携帯電話機等の通信端末においては、電話番号を特定するための固有のＩＤ番号が記録されたＵＩＭカードまたはＵＳＩＭカード（Ｕｎｉｖｅｒｓａｌ  Ｓｕｂｓｃｒｉｂｅｒ  Ｉｄｅｎｔｉｔｙ  Ｍｏｄｕｌｅ  Ｃａｒｄ）が用いられている（このカードはＳＩＭカードと呼ばれることもあるが、これらのカードを、以後「ＵＩＭカード」に統一して記載する。）。
このＵＩＭカードはＩＣカードである。ＵＩＭカードを携帯電話機等の通信端末にセットすることで、ＵＩＭカードに記録された固有のＩＤ番号が、その通信端末に関連づけられ、通信を行うことが可能となる。
【０００３】
また、特許文献１には、札入れサイズカード基板に設けられた開口部に、ミニサイズＵＩＭカードがはめ込み可能な構成が開示されている。
【０００４】
このようなＵＩＭカードは、通常時においては、通信端末や札入れサイズカード基板等にセットされたままであるが、例えば通信端末の場合、通信端末を買い替えるに際して使用中の通信端末からＵＩＭカードを取り外し、取り外したＵＩＭカードを新たに使用する通信端末等にセットする。これにより、ＵＩＭカードに記録された情報を、新たな通信端末でも継続して用いることができる。
このようなＵＩＭカードの使用形態は、札入れサイズカード基板においても同様とすることができる。
【先行技術文献】
【特許文献】
【０００５】
【特許文献１】特開２００５−２６７３１４号公報
【発明の概要】
【発明が解決しようとする課題】
【０００６】
通信端末の小型化に伴い、用いられるＵＩＭカードは、例えば、幅１５ｍｍ×奥行き１２ｍｍ×厚み０．７６ｍｍと非常に小型・薄型なものとなっている。このため、ＵＩＭカードをデスク等の上に置くと、これを指先でつまみ上げるのが困難となっている。
このため、ＵＩＭカードの装着作業に手間がかかるとともに、ＵＩＭカードをつまみ上げるのに失敗した結果、ＵＩＭカードを落としてしまい、ＵＩＭカードを容易に拾い上げることができないといった不便も生じることがある。
このような問題はＵＩＭカードに限らず、カード状の小型記録媒体等、各種のチップカードにも共通する。
そこでなされた本発明の目的は、容易かつ確実につまみ上げることのできるチップカードを提供することである。
【課題を解決するための手段】
【０００７】
本発明は、上記課題を解決するため、以下の手段を採用する。
すなわち、本発明のチップカードは、矩形状をなしたカード本体と、カード本体において互いに対向する二辺に沿って形成された突条と、を備え、突条は、カード本体を平面上に置いたときに、少なくとも一方の辺に形成された突条が平面から上方に離間して位置するよう形成されていることを特徴とする。
【発明の効果】
【０００８】
本発明によれば、平面上に置かれたカード本体をユーザが指でつまみ上げるときに、平面から上方に離間して位置する突条が指に引っ掛かることで、突条が形成された側からカード本体を引き上げることができる。したがって、カード本体が小型・薄型な場合であっても、これを容易かつ確実につまみ上げることが可能となる。
【図面の簡単な説明】
【０００９】
【図１】（ａ）は本実施形態にかかるＵＩＭカードを表面側から見た斜視図、（ｂ）はＵＩＭカードを裏面側から見た斜視図である。
【図２】（ａ）はＵＩＭカードの裏面側を下にして置いたときの断面図、（ｂ）はＵＩＭカードの表面側を下にして置いたときの断面図である。
【図３】ＵＩＭカードを指でつまみ上げるときの動作の流れを示す断面図である。
【図４】ＵＩＭカードの他の例を示す断面図である。
【発明を実施するための形態】
【００１０】
以下、添付図面を参照して、本発明によるチップカードを実施するための最良の形態を説明する。しかし、本発明はこれらの実施例のみに限定されるものではない。
【００１１】
図１に示すように、ＵＩＭカード（チップカード、カード本体）１０は、携帯電話機に用いられるもので、全体として長方形をなし、均一な厚さを有したＩＣカードである。
ＵＩＭカード１０の一方の表面１０ａには、携帯電話機側のコネクタ端子に電気的に接続されるカード端子部１２が形成されている。
ＵＩＭカード１０の長辺１０ｃと短辺１０ｄとが隣接する４つの角部のうち、一つの角部には、長辺１０ｃと短辺１０ｄのそれぞれに対して斜めに傾斜した切り欠き部１３が形成されている。
【００１２】
このようなＵＩＭカード１０において、互いに対向する長辺１０ｃ、１０ｃに沿った側面が、ＵＩＭカード１０の表面１０ａに直交する面に対して、予め定められた角度に傾斜した傾斜面２０Ａ、２０Ｂとされている。
ここで、一方の傾斜面２０Ａと他方の傾斜面２０Ｂは、互いに平行となるよう形成されている。これにより、ＵＩＭカード１０の表面１０ａと一方の傾斜面２０Ａとの交差部が、角度θ１の鋭角部（突条）３０Ａとされ、ＵＩＭカード１０の裏面１０ｂと他方の傾斜面２０Ｂとの交差部が角度θ２の鋭角部（突条）３０Ｂとされ、θ１＝θ２とされる。このようなＵＩＭカード１０の断面形状は、平行四辺形状となる。
【００１３】
図２に示すように、ＵＩＭカード１０は、床やデスク等の表面１００上に置いた場合、表面１０ａまたは裏面１０ｂが表面１００に対向する。
例えば図２（ａ）の例では、裏面１０ｂが表面１００に対向し、表面１０ａが上方を向いた状態となる。この状態で、ＵＩＭカード１０の一方の鋭角部３０Ａが表面１００から上方に離間して位置し、他方の鋭角部３０Ｂが表面１００に接して位置する。
また、反対に、図２（ｂ）に示すように、ＵＩＭカード１０の表面１０ａが床やデスク等の表面１００に対向し、裏面１０ｂが上方を向いた状態では、鋭角部３０Ｂが表面１００から上方に離間して位置し、鋭角部３０Ａが表面１００に近接して位置する。
【００１４】
図３（ａ）に示すように、ユーザが二本の指Ｆ１、Ｆ２でＵＩＭカード１０を床やデスク等の表面１００上からつまみ上げようとした場合、例えば図３（ａ）の例では、一方の指Ｆ１は、表面１００から上方に離間した鋭角部３０Ａに当たり、他方の指Ｆ２は、傾斜面２０Ｂに当たる。指Ｆ１、Ｆ２でＵＩＭカード１０を挟み込むようにすると、指Ｆ１によって鋭角部３０Ａがひっかけられ、図３（ｂ）に示すように、ＵＩＭカード１０の傾斜面２０Ａ側を引き上げることができる。このとき、指Ｆ２が傾斜面２０Ｂに当たったままの状態とされることで、ＵＩＭカード１０が傾斜面２０Ｂ側にスライドしてズレるのを防ぐことができる。
傾斜面２０Ａ側が引き上げられることで、ユーザは、指Ｆ１、Ｆ２でＵＩＭカード１０を引き起こし、これをつまみ上げることができる。
【００１５】
ＵＩＭカード１０が反対向きに、表面１０ａを床やデスク等の表面１００に対向させた状態となっているときにも、上記と同様にして指Ｆ１で鋭角部３０Ｂを引っかけてＵＩＭカード１０をつまみ上げることができる。
【００１６】
上述したようにして、ＵＩＭカード１０においては、互いに平行な二辺の側面が傾斜面２０Ａ、２０Ｂとされることで、ＵＩＭカード１０が床やデスク等の表面１００上にあるときに、いずれか一方の鋭角部３０Ａ、３０Ｂが表面１００から上方に離間して位置することになる。これにより、指Ｆ１、Ｆ２でＵＩＭカード１０を引き起こしてつまみ上げることができる。したがって、ＵＩＭカード１０が小型・薄型である場合にも、ＵＩＭカード１０を容易につまみ上げることが可能となり、ＵＩＭカード１０の取り扱い性が向上する。
【００１７】
また、傾斜面２０Ａ、２０Ｂを互いに平行にすることで、ＵＩＭカード１０が、表面１０ａ、裏面１０ｂのいずれを上に下状態であっても、鋭角部３０Ａ、３０Ｂのいずれか一方が、必ず表面１００から上方に離間して位置することになる。これにより、いかなるときにも、ＵＩＭカード１０を確実につまみ上げることができる。また、傾斜面２０Ａ、２０Ｂのいずれか一方の鋭角部３０Ａ、３０Ｂに指Ｆ１が引っ掛かったときには、他方の傾斜面２０Ｂ、２０Ａに指Ｆ２を押し当て、ＵＩＭカード１０が横にずれるのを防止でき、これによって、ＵＩＭカード１０の取り扱いをより確実に行うことができる。
【００１８】
（その他の実施形態）
なお、本発明のチップカードは、図面を参照して説明した上述の各実施形態に限定されるものではなく、その技術的範囲において様々な変形例が考えられる。
例えば、上記実施形態において、長辺１０ｃ、１０ｃに傾斜面２０Ａ、２０Ｂを形成したが、短辺１０ｄ、１０ｄにこれを形成しても良い。
【００１９】
また、傾斜面２０Ａ、２０Ｂに代えて、図４に示すように、ＵＩＭカード１０の互いに平行な二辺に沿って、側面５０Ａ、５０Ｂから側方に突出する突条４０Ａ、４０Ｂを形成しても良い。この場合、ＵＩＭカード１０において、突条４０Ａ、４０Ｂが形成された側面５０Ａ、５０Ｂは、表面１０ａ、裏面１０ｂに直交するよう形成しても良い。
この場合も、ＵＩＭカード１０を床やデスク等の表面１００上に置いたときに、突条４０Ａ、４０Ｂの少なくとも一方が、表面１００から上方に離間するよう形成する。したがって、突条４０Ａ、４０Ｂは、ＵＩＭカード１０の側面５０Ａ、５０Ｂにおいて、表面１０ａ、裏面１０ｂから、幅方向（ＵＩＭカード１０の厚さ方向）の中央寄りに形成する。さらに言えば、突条４０Ａ、４０Ｂは、側面５０Ａ、５０Ｂの幅方向中央に形成しても良いし、幅方向の一方の側にオフセットさせても良い。
このような突条４０Ａ、４０Ｂを形成した場合にも、上記実施形態と同様、ＵＩＭカードカード１０を容易につまみ上げることができる。
なおここで、突条４０Ａ、４０Ｂの断面形状は、矩形状とすることもできるし、半円状、三角形状等、いかなる形状としても良い。
【００２０】
加えて、本発明は、ＵＩＭカード１０のように携帯電話機に装着されるＩＣカードに限らず、他のＩＣカードでもよいし、さらにはＩＣカード以外のｍｉｃｒｏＳＤカード等の小型の記録メディア等であっても良い。
これ以外にも、本発明の主旨を逸脱しない限り、上記実施の形態で挙げた構成を取捨選択したり、他の構成に適宜変更することが可能である。
【符号の説明】
【００２１】
１０  ＵＩＭカード（チップカード、カード本体）
１０ａ  表面
１０ｂ  裏面
１０ｃ  長辺
１０ｄ  短辺
１２  カード端子部
１３  切り欠き部
２０Ａ、２０Ｂ  傾斜面
３０Ａ、３０Ｂ  鋭角部（突条）
４０Ａ、４０Ｂ  突条
５０Ａ、５０Ｂ  側面
１００  表面
Ｆ１、Ｆ２  指
【図１】
2012146232.tif 000003
【図２】
2012146232.tif 000004
【図３】
2012146232.tif 000005
【図４】
2012146232.tif 000006